(57)【要約】      （修正有）【課題】携帯端末又はＩＴ関連機器のカメラを覆うとともに、埃など取ることができるワイピングシートを提供する。【解決手段】カメラを有する携帯端末又はＩＴ関連機器に貼られるワイピングシート１０である。ワイピングシート１０は、厚みが５μｍ以上２０μｍ未満の樹脂フィルムＰＦと、樹脂フィルムＰＦの一面に積層され表面に微細気泡を有する発泡倍率が１．５倍の低発泡フォームで且つ厚みが５００μｍから８００μｍのポリマーシートＰＳと、樹脂フィルムの他面に積層され、汚れの拭き取り性を有する超極細繊維を含む不織布ＷＣと、を有する。【選択図】図４
0003209978.tif 000002
【実用新案登録請求の範囲】
【請求項１】
カメラを有する携帯端末又はＩＴ関連機器に貼られるワイピングシートであって、
厚みが５μｍ以上２０μｍ未満の樹脂フィルムと、
前記樹脂フィルムの一面に積層され、表面に微細気泡を有する発泡倍率が１．５倍の低発泡フォームで、且つ厚みが５００μｍから８００μｍのポリマーシートと、
前記樹脂フィルムの他面に積層され、汚れの拭き取り性を有する超極細繊維を含む不織布と、を有し、
前記ポリマーシートは、前記携帯端末又は前記ＩＴ関連機器のカメラを覆うように貼り付けられ、前記不織布で前記カメラの埃をとるワイピングシート。
【請求項２】
前記ワイピングシートは、法線方向から見て円形状又は多角形状の本体部と該本体部の外周から伸びた柄部とを含む請求項１に記載のワイピングシート。
【請求項３】
前記本体部は前記不織布が形成されており、前記柄部は前記不織布が形成されていない請求項３に記載のワイピングシート。
【請求項４】
前記ポリマーシートは、パウダーを添加して発泡形成させている請求項１から請求項３のいずれか一項に記載のワイピングシート。
【考案の詳細な説明】
【技術分野】
【０００１】
本考案は、携帯端末の画面やＩＴ関連機器の画面の表面の汚れなどを拭き取るワイピングシートに関する。特に、携帯電話のカメラまたはＩＴ関連機器のカメラを覆うワイピングシートに関する。
【背景技術】
【０００２】
有線又は無線通信部を備えた携帯端末（スマートフォン、タブレット、ノートパソコン）又はＩＴ関連機器（パソコンなど）の画面（ディスプレイ）などは、静電的に帯電し易く埃が堆積し易く、指や手の平の脂がついて汚れ易いという問題があった。
このような問題を解決するため、特許文献１に開示された考案は、全体を変形させやすく、複雑な形状の面を拭いやすいものとなるワイピングシートを提案している。
【先行技術文献】
【特許文献】
【０００３】
【特許文献１】実用新案登録第３１９３１６３号
【考案の概要】
【考案が解決しようとする課題】
【０００４】
インターネットの普及に伴い、携帯端末又はＩＴ関連機器は、インターネットを介して多様な情報をクラウドサーバ等と通信する。ところが通信過程で、ハッキングプログラムが携帯端末又はＩＴ関連機器にインストールされる場合がある。そのハッキングプログラムがホストオペレーティングシステム下で実行されると、カメラが使用者の意図とは関係なく人物や風景を撮影し、その撮影した静止画又は動画を特定のサーバー等に送信したりする。
即ち、携帯端末又はＩＴ関連機器がハッキングされることによって、個人情報が流出する危険性が存在するという問題がある。
【課題を解決するための手段】
【０００５】
そこで本考案は、携帯端末のカメラまたはＩＴ関連機器のカメラを覆うワイピングシートを提供する。
【０００６】
本考案の実施形態は、カメラを有する携帯端末又はＩＴ関連機器に貼られるワイピングシートである。ワイピングシートは、厚みが５μｍ以上２０μｍ未満の樹脂フィルムと、樹脂フィルムの一面に積層され、表面に微細気泡を有する発泡倍率が１．５倍の低発泡フォームで、且つ厚みが５００μｍから８００μｍのポリマーシートと、樹脂フィルムの他面に積層され、汚れの拭き取り性を有する超極細繊維を含む不織布と、を有する。
そしてポリマーシートは、携帯端末又はＩＴ関連機器のカメラを覆うように貼り付けられ、不織布でカメラの埃をとる。
【０００７】
ワイピングシートは、法線方向から見て円形状又は多角形状の本体部と該本体部の外周から伸びた柄部とを含む。
本体部は不織布が形成されており、柄部は不織布が形成されていない。  ポリマーシートは、天然ゴムにポリウレタンのパウダーを添加して発泡形成させている。
【考案の効果】
【０００８】
本考案のワイピングシートは、携帯端末のカメラまたはＩＴ関連機器のカメラを覆うとともに、埃など取ることができる。
【図面の簡単な説明】
【０００９】
【図１】スマートフォンにワイピングシートが貼られた例を示した図である。
【図２】ノートパソコンにワイピングシートが貼られた例を示した図である。
【図３】法線方向から見た複数の形状のワイピングシートを示した図である。
【図４】ワイピングシートの断面形状を示した概略拡大図である。
【考案を実施するための形態】
【００１０】
以下、添付図面を参照して、本考案のワイピングシートを説明する。
本考案のワイピングシート１０の使い方の例を図１に示す。図１（Ａ）は、例えば、スマートフォン３０の画面３９にワイピングシート１０が貼られた例である。図１（Ｂ）は、スマートフォン３０のカメラ３４にワイピングシート１０が貼られた例である。
【００１１】
例えばスマートフォン３０には、中央に画面（ディスプレイ）３９が配置され、その下側（マイナスＸ軸方向）に、画面やホームページなどにアクセスするホームボタン３１が配置される。スマートフォン３０の画面３９の上側（プラスＸ軸方向）には、画像を撮影するカメラ３４が、そのカメラ３４の横にあるマイク／スピーカー３６が配置される。カメラ３４のレンズ直径はφ１．５ｍｍ〜４ｍｍである。図１（Ａ）では、スマートフォン３０の画面３９にワイピングシート１０が押し付けて吸着保持されている。後述するように、ワイピングシート１０の裏面側（マイナスＺ軸側）には微細気泡を有するのポリマーシートが形成されており、ワイピングシート１０が強く押されることで吸着保持される。
【００１２】
図１（Ｂ）では、スマートフォン３０のカメラ３４のレンズにワイピングシート１０が押し付けて吸着保持されている。仮に、スマートフォン３０がハッキングされて、カメラ３４が使用者の意図とは関係なく人物や室内等を撮影しようとしても、ワイピングシート１０でカメラ３４が覆われているため、人物や室内等を撮影することができない。カメラ３４で撮影された静止画又は動画は、ピントが合っていない単色画像であり、サーバー等に単調画像が送信されても、個人情報等が流出する危険性がない。また、画面３９が埃又は手の脂など汚れている場合には、ワイピングシート１０をカメラ３４のレンズから外して、ワイピングシート１０で画面３９を拭くことができる。拭いた後は、再びカメラ３４のレンズにワイピングシート１０を押し付ける。
【００１３】
なお、図１ではカメラ３４がスマートフォン３０の画面３９の上方左側に配置されているが、スマートフォンの機種によっては、カメラが画面の上方中央にあったり下方にあったりする。そのような場合には、カメラの位置に応じてワイピングシート１０を押し付けて吸着保持する。
【００１４】
図２は、画面４９を開いたノートパソコン４０であり、ノートパソコン４０のカメラ４４にワイピングシート１０が貼られた例である。画面４９を開いたノートパソコン４０は、その一方にキーボード４１がある。画面４９の上側（プラスＸ軸方向）には、画像を撮影するカメラ４４が配置される。カメラ４４のレンズ直径はφ１．５ｍｍ〜４ｍｍである。ノートパソコン４０のカメラ４４のレンズにワイピングシート１０が押し付けて吸着保持されている。
【００１５】
仮に、ノートパソコン４０がハッキングされて、カメラ４４が使用者の意図とは関係なく人物や室内等を撮影しようとしても、ワイピングシート１０でカメラ４４が覆われているため、人物や室内等を撮影することができない。また、サーバー等に送信される静止画又は動画は、ピントが合っていない単色画像である。このため、個人情報等が流出する危険性がない。また、画面４９が埃又は手の脂など汚れている場合には、ワイピングシート１０をカメラ４４のレンズから外して、ワイピングシート１０で画面４９を拭くことができる。拭いた後は、再びカメラ４４のレンズにワイピングシート１０を押し付ける。
【００１６】
図３は、法線方向から見た複数の形状のワイピングシートを示した図である。図３（Ａ）は、円形状のワイピングシート１０であり、その本体部１０Ｂが円形でありその直径がφ７ｍｍ〜２０ｍｍである。そして、本体部１０Ｂから本体部の外周から伸びた柄部１０Ａが形成されている。柄部１０Ａはワイピングシート１０を取り外し易くするために設けられている。なお、柄部１０Ａは必ずしも設ける必要はない。
【００１７】
上述したようにスマートフォン３０カメラ３４又はノートパソコン４０カメラ４４のレンズ直径は、φ１．５ｍｍ〜４ｍｍである。ワイピングシート１０の本体部１０Ｂの直径が、カメラレンズの約２倍から約５倍であるので、十分にカメラのレンズを覆うことができる。一方、一般にカメラのレンズは画面の幅の細い筐体の周囲に設けられているので、ワイピングシート１０の本体部１０Ｂの直径が２０ｍｍ以上であると、スマートフォン又はノートパソコンの筐体の外側に本体部１０Ｂの一部が出てしまう。
【００１８】
図３（Ｂ）は、六角形状のワイピングシート１２であり、その本体部１２Ｂが六角形でありその角の外接円の直径がφ７ｍｍ〜２０ｍｍである。そして、本体部１２Ｂの一辺から本体部の外周から伸びた柄部１２Ａが形成されている。柄部１２Ａはワイピングシート１２を取り外し易くするために設けられている。なお、柄部１２Ａは必ずしも設ける必要はない。
【００１９】
図３（Ｃ）は、四角形状のワイピングシート１４であり、その本体部１４Ｂが正方形形でありその一辺の長さが７ｍｍ〜２０ｍｍである。そして、本体部１４Ｂの一辺から本体部の外周から伸びた柄部１４Ａが形成されている。柄部１４Ａはワイピングシート１４を取り外し易くするために設けられている。なお、柄部１４Ａは必ずしも設ける必要はない。
【００２０】
図３（Ｄ）は、星型状のワイピングシート１６であり、その本体部１６Ｂが星型でありその対角線の長さが７ｍｍ〜２０ｍｍである。星の６つの先端はワイピングシート１６を取り外し易くするために設けられている。
なお、図３（Ａ）からの図３（Ｄ）の正面側（プラスＺ側）は、ワイピング用超極細繊維布ＷＣである。
【００２１】
図４（Ａ）は、本考案のワイピングシート１０の第１実施形態の拡大断面図である。図４（Ａ）において、樹脂フィルムＰＦの両面に図示しない接着剤を塗布し、その一面にワイピング用超極細繊維布ＷＣを、その他面にポリマーシートＰＳを接着してワイピングシート１０が構成される。柄部１０Ａから本体部１０Ｂまですべての断面に、樹脂フィルムＰＦ、超極細繊維布ＷＣ及びポリマーシートＰＳが形成されている。
【００２２】
このワイピングシート１０の各部構成を簡単に説明する。
ワイピング用超極細繊維布ＷＣは、繊維の一本一本が例えば０．００１〜０．５デニールと非常に細く、また繊維の断面形状が円形ではなく例えば三角形であり、得られた布は特に力を加えなくとも汚れを確実に吸収し拭き残しも少ない。さらに、不織布であれば、裁断や打ち抜き加工などを行なっても、寸法の安定性に優れ布目のほつれや繊維屑の埃などが発生し難い。ワイピング用超極細繊維布ＷＣの厚みは、特に限定されるものではないが、この実施の形態では、例えば、５０μｍから５００μｍ程度の厚みのものを用いる。
【００２３】
ポリマーシートＰＳは、表面に微細気泡を有するアクリル製のポリマーシートである。このポリマーシートＰＳは表面の微細気泡が吸盤のように働いて、平滑な相手面に吸着する。このポリマーシートは発泡倍率が１．５倍程度の低発泡フォームからなり、厚さ０．５ｍｍ、大きさ５０ｍｍ角で、対ガラスで０．１５ｋｇ程度のピーリング剥離強さを示す。ポリマーシートＰＳは、アクリル製ではなく、ポリイソプレンを主成分とする天然ゴムの基材に対し、パウダー状に形成したポリウレタンおよびパウダー状に形成したポリ塩化ビニル（ＰＶＣ：polyvinyl chloride）を混合した素材からなっていてもよい。
ポリマーシートＰＳの厚みは、特に限定されるものではないが、厚いほど接着力が良い。この実施の形態では、例えば、５００μｍから８００μｍ程度の厚みのものを用いる。
【００２４】
樹脂フィルムＰＦの材料は特に限定されるものではないが、例えば、ポリエステルフィルム、ポリアミドフィルム、ポリエチレンテレフタレートフィルム、ナイロンフィルムなどを用いることができる。樹脂フィルムＰＦは、ワイピングシート１０に耐久性（強度）を与えるために必要である。樹脂フィルムＰＦの厚みは厚いほど強度が増すが、厚いとワイピングシート１０の柔軟性が劣ってくる。樹脂フィルムＰＦの厚みが厚すぎ、柔軟性が欠け、密着性が劣るようになると、ポリマーシートＰＳの厚みが充分でない場合には張ったシート１０が剥がれ易くなる。
【００２５】
本実施形態では、必要な強度を保ちながら、柔軟性があって多少凹凸のある場所にも貼り付けることができ、密着性に富むように、厚みは２０μｍ未満とし、例えば、５μｍとか１５μｍとかという厚みのポリエチレンテレフタレート（ＰＥＴ）フィルムを用いるようにした。このように樹脂フィルムＰＦを比較的薄くする分だけ、全体の厚みを限ったとしても、ポリマーシートＰＳの厚みを厚くでき、その分接着力を強くすることができる。また、樹脂フィルムＰＦの厚みが薄くなっても、ポリマーシートＰＳの厚みが厚くなる分、ワイピングシート１０の強度を補うことができる。
【００２６】
図４（Ｂ）は、本考案のワイピングシート１０の第２実施形態の拡大断面図である。図４（Ｂ）において、柄部１０Ａの部分にポリマーシートＰＳがなく、本体部１０ＢにのみポリマーシートＰＳが形成されている。柄部１０Ａにカメラのレンズ等に隙間があり、吸着保持されているワイピングシート１０をカメラのレンズから取り外し易くなる。
【００２７】
以上述べたように本考案のワイピングシートによると、装置の普段は邪魔にならないところにシート１０を貼り付けておき、汚れがついたときにすぐさま剥がして拭き取ることができるので、不快な曇りや汚れにすぐに対処することができ、使い勝手に優れている。また、シート１０の耐久性や柔軟性、ポリマーシートＰＳ側の繰り返し貼り付け性能なども十分であり、汚れたときには簡単に洗うこともできるので、長期間使用することができて経済的である。さらに、通常、表になっている超極細繊維布ＷＣ側に昇華式印刷で企業名や商品名、広告などを印刷しておくこともでき、宣伝頒布用の媒体としての利用法も考えられる。
【産業上の利用可能性】
【００２８】
本考案のワイピングシートは、広範囲に普及している携帯電話機やパソコンなどに便利に用いることができるので、広範な需要が見込め、さらに宣伝頒布用の広告媒体としても使えるので、単に電話機やＩＴ産業の業界だけでなく、産業の広い分野で利用の可能性を有している。
【符号の説明】
【００２９】
１０、１２、１４，１６  …  ワイピングシート
１０Ａ、１２Ａ、１４Ａ  …  柄部
１０Ｂ、１２Ｂ、１４Ｂ、１６Ｂ  …  本体部
３０  …  スマートフォン
３１  …  ホームボタン
３４、４４  …  カメラ
３６  …  マイク／スピーカー
３９、４９  …  画面（ディスプレイ）
４０  …  ノートパソコン
ＰＦ  …  樹脂フィルム
ＷＣ  …  超極細繊維布
ＰＳ  …  ポリマーシート
【図１】
0003209978.tif 000003
【図２】
0003209978.tif 000004
【図３】
0003209978.tif 000005
【図４】
0003209978.tif 000006
【手続補正書】
【提出日】平成29年2月8日(2017.2.8)
【手続補正１】
【補正対象書類名】実用新案登録請求の範囲
【補正対象項目名】請求項３
【補正方法】変更
【補正の内容】
【請求項３】
前記本体部は前記不織布が形成されており、前記柄部は前記不織布が形成されていない請求項２に記載のワイピングシート。